(57)【要約】【課題】障子の上框、下框、戸先框内の空洞部分で音が反響しないようにした防音サッシを提供すること。【解決手段】外障子８の上框４５、下框４６、戸先框４７の室内側板の室内側面を室内側に引寄せて窓枠６の上枠２、下枠３、戸当り竪枠４に装着した気密ゴム１７、２７、３３に圧着させ、外障子８の上框４５、下框４６、戸先框４７の室外側板に先端部が窓枠６の上枠２、下枠３、戸当り竪枠４に接触して外障子８と窓枠６の間を塞ぐ断面ひげ状の補助ゴム片５８、５９、６３を配設し、外障子８の閉鎖引寄せ状態で外障子８の上框４５、下框４６、戸先框４７の室内側板と補助ゴム片との間に大きな閉鎖空間６０、６１、６４を設けてある。【選択図】図１
2008240475.tif 000002
【特許請求の範囲】
【請求項１】
障子の上框、下框、戸先框の室内側板の室内側面を障子を室内側に引寄せて窓枠の上枠、下枠、戸当り竪枠に装着した気密ゴムに圧着させるようにした防音サッシにおいて、障子の上框、下框、戸先框に先端部が窓枠の上枠、下枠、戸当り竪枠に接触して障子と窓枠の間を塞ぐ補助ゴム片を配設し、障子の閉鎖引寄せ状態で障子の上框、下框、戸先框の室内側板と補助ゴム片との間に大きな閉鎖空間を設けて成ることを特徴とする防音サッシ。
【請求項２】
障子を、窓枠に内障子と外障子を開閉移動可能に嵌め込んだ引違いサッシの外障子で構成し、内障子の上框、下框、戸先框の室外側板の室内側面を内障子を室内側に引寄せて窓枠の上枠、下枠、戸当り竪枠に装着した気密ゴムに圧着させ、内障子と外障子の少なくとも一方の召合せ框に両者間を塞ぐ気密ゴムを設けて成ることを特徴とする請求項１記載の防音サッシ。
【請求項３】
外障子の上框と下框と戸先框の室内側板に、断面ひげ状の補助ゴム片を外障子の閉鎖引寄せ状態で先端部が夫々窓枠の上枠と下枠に備えた案内レールの室外側と戸当り竪枠とに弾力的に接触するように配設して成ることを特徴とする請求項１または２記載の防音サッシ。
【発明の詳細な説明】
【技術分野】
【０００１】
本発明は、障子の上框、下框、戸先框の室内側板の室内側面を障子を室内側に引寄せて窓枠の上枠、下枠、戸当り竪枠に装着した気密ゴムに圧着させるようにした防音サッシに関する。
【背景技術】
【０００２】
従来の防音サッシとして、特許文献１や特許文献２に開示されているように、窓枠に内障子と外障子を開閉移動可能に嵌め込んだ引違いサッシにおいて、障子の上框、下框、戸先框の室内側板の室内側面を障子を閉鎖すると共に室内側へ引寄せて窓枠の上枠、下枠、戸当り竪枠に装着した気密ゴムに圧着させるようにした防音性能の高いものが知られている。即ち、引寄装置を使用して障子の上框、下框、戸先框の室内側板を窓枠に装着した気密ゴムに圧着させることにより、ＪＩＳ規格における防音機能評価における「ＴＳ−３０等級」程度の高い防音機能を得ている。
また、障子を引寄せない低い防音性能の防音サッシとして、特許文献３に開示されているように、内、外障子の框の室内側板にひれ状の２重のシール部材を室内外方向に距離をおいて配設し、２重のシール部材が窓枠に軽く接触するようにしたものが知られている。
【特許文献１】実開昭５４−１２０８３５号公報
【特許文献２】特開平０６−１５８９４９号公報
【特許文献３】特開平６０−１９９１８４号公報
【発明の開示】
【発明が解決しようとする課題】
【０００３】
特許文献１や特許文献２に開示されている高性能な防音サッシは、障子と窓枠の隙間を無くして音の侵入を防ぐことで遮音性能を向上させようとするものであるが、障子を確実に引寄せて隙間を無くしても、或る程度の防音性能までは性能向上できるが、それ以上の性能向上を図ることができていないのが実情である。この種の防音サッシの性能を向上させるために、大きな厚みのガラスを採用したり、ガラスを複層にしたりしているが、或る程度は性能向上できてもそれ以上に性能を向上できず、しかも、防音サッシの見込み幅が大きくなって基本構造が変化し、重量が大きくなったり製造コストが高くなる問題がある。また、特許文献３に開示されている比較的性能の低い防音サッシは、内、外障子の框の室内側板にひれ状のシール部材を２重に設けて遮音性能を向上させようとするものであるが、シール部材の遮音性能が低い上に、或る程度の防音性能までは性能向上できるが、それ以上の性能向上を図ることができていないのが実情である。
従来の高性能な防音サッシの防音性能を向上させるために、本願発明者によって、種々の対策を検討した結果、内障子の上框、下框、戸先框の室外側板の室内側面を窓枠の上枠、下枠、戸当り竪枠に装着した気密ゴムに圧着させている場合に、内障子の上框、下框、戸先框内の空洞を塞いでみても、防音性能が向上することはないが、外障子の上框、下框、戸先框の室内側板の室内側面を窓枠の上枠、下枠、戸当り竪枠に装着した気密ゴムに圧着させている場合に、外障子の上框、下框、戸先框内の空洞を塞いでみると、防音性能が向上することが判った。そこで、外障子の上框、下框、戸先框内の空洞を塞いだときに防音性能が向上する理由を分析して検討した結果、外障子の上框、下框、戸先框の室内側板の室内側面を窓枠の上枠、下枠、戸当り竪枠に装着した気密ゴムに圧着させているので、外部からの音は外障子の上框、下框、戸先框と窓枠の上枠、下枠、戸当り竪枠との間に入って外障子の上框、下框、戸先框内の大きな空洞部分で減衰することなく反響し、その反響音が外障子の上框、下框、戸先框の室内側板を振動させて室内側へ伝わっていることが判明した。
本発明の課題は、障子の上框、下框、戸先框の室内側板の室内側面を窓枠の上枠、下枠、戸当り竪枠に装着した気密ゴムに圧着させている防音サッシにおいて、障子の上框、下框、戸先框内の空洞部分で音が反響しないようにして防音性能を向上させることができる防音サッシを提供しようとするものである。
【課題を解決するための手段】
【０００４】
本発明は、前記課題を解決するために、障子の上框、下框、戸先框の室内側板の室内側面を障子を室内側に引寄せて窓枠の上枠、下枠、戸当り竪枠に装着した気密ゴムに圧着させるようにした防音サッシにおいて、障子の上框、下框、戸先框に先端部が窓枠の上枠、下枠、戸当り竪枠に接触して障子と窓枠の間を塞ぐ補助ゴム片を配設し、障子の閉鎖引寄せ状態で障子の上框、下框、戸先框の室内側板と補助ゴム片との間に大きな閉鎖空間を設けて成ることを特徴とする（請求項１）。
また、本発明は、障子を、窓枠に内障子と外障子を開閉移動可能に嵌め込んだ引違いサッシの外障子で構成し、内障子の上框、下框、戸先框の室外側板の室内側面を内障子を室内側に引寄せて窓枠の上枠、下枠、戸当り竪枠に装着した気密ゴムに圧着させ、内障子と外障子の少なくとも一方の召合せ框に両者間を塞ぐ気密ゴムを設けて成ることを特徴とする（請求項２）。
また、本発明は、外障子の上框と下框と戸先框の室内側板に、断面ひげ状の補助ゴム片を外障子の閉鎖引寄せ状態で先端部が夫々窓枠の上枠と下枠に備えた案内レールの室外側と戸当り竪枠とに弾力的に接触するように配設して成ることを特徴とする（請求項３）。
【発明の効果】
【０００５】
本発明の防音サッシは、障子の上框、下框、戸先框に先端部が窓枠の上枠、下枠、戸当り竪枠に接触して障子と窓枠の間を塞ぐ補助ゴム片を配設し、障子の閉鎖引寄せ状態で障子の上框、下框、戸先框の室内側板と補助ゴム片との間に大きな閉鎖空間を設けているので、外部の音が障子の上框、下框、戸先框の空洞部分に入って空洞部分で反響するのを防止でき、しかも、外部の音が障子の上框、下框、戸先框の空洞部分に僅かな隙間から侵入してもその音を閉鎖空間によって減音でき、その結果、防音サッシの防音性能を大きく向上させることができる。しかも、障子の上框、下框、戸先框に先端部が窓枠の上枠、下枠、戸当り竪枠に接触して障子と窓枠の間を塞ぐ補助ゴム片を配設する簡易な構成で防音性能を向上でき、安価に実施できて実用的である。
【０００６】
また、本発明の防音サッシは、障子を、窓枠に内障子と外障子を開閉移動可能に嵌め込んだ引違いサッシの外障子で構成し、内障子の上框、下框、戸先框の室外側板の室内側面を内障子を室内側に引寄せて窓枠の上枠、下枠、戸当り竪枠に装着した気密ゴムに圧着させ、内障子と外障子の少なくとも一方の召合せ框に両者間を塞ぐ気密ゴムを設けているので、一般的な引違い防音サッシの防音性能の向上を図ることができ、幅広く普及できる利点がある。
また、本発明の防音サッシは、外障子の上框と下框と戸先框の室内側板に、断面ひげ状の補助ゴム片を外障子の閉鎖引寄せ状態で先端部が夫々窓枠の上枠と下枠に備えた案内レールの室外側と戸当り竪枠とに弾力的に接触するように配設しているので、障子が下がったり下枠に塵埃が溜まったりした場合でも、外障子の上框と下框と戸先框に設けた補助ゴム片を夫々窓枠の上枠と下枠に備えた案内レールと戸当り竪枠とに全長に亘って接触させることができ、長期に亘って高い防音性能を向上できる。
【発明を実施するための最良の形態】
【０００７】
次に、本発明の実施形態を示す防音サッシについて説明する。図に示す防音サッシは引違い防音サッシ１に実施したもので、上枠２と下枠３と左右の戸当り竪枠４、５が枠組みされて窓枠６が構成されている。窓枠６には、内、外障子７、８が横引き可能に嵌め込まれている。上枠２の基壁９には、室外側端に室外側壁１０が、室内側端に室内側壁１１が垂下され、中間部に内、外障子７、８を案内する内、外障子用案内レール１２、１３が室内外方向に所定の間隔を保って垂下されている。内障子用案内レール１２の室外側には、内障子用気密ゴム装着溝１４と外障子用気密ゴム装着溝１５が室内外方向位置をずらして形成され、気密ゴム装着溝１４、１５に気密ゴム１６、１７が装着されている。
下枠３の上壁１８には、室内側端に室内側片１９が、室外側端に網戸レール２０が夫々立設され、室内外方向中間部に段部２１が形成されている。また、下枠３の上壁１８には、内障子用案内レール２２と外障子用用案内レール２３が夫々立設されている。下枠３の段部２１には、内障子用気密ゴム装着溝２４と外障子用気密ゴム装着溝２５が室内外方向位置をずらせて形成されている。気密ゴム装着溝２４、２５には、室外側面が上枠２に装着されている気密ゴム１６、１７の室外側面と同一平面上に位置する気密ゴム２６、２７が装着されている。
【０００８】
次に、外障子用戸当り竪枠４の基壁３０には、気密ゴム装着溝３１を有する張出片３２が障子方向に突設され、気密ゴム装着溝３１には、室外側面が上枠２、下枠３に装着されている外障子用気密ゴム１７、２７の室外側面と同一平面上に位置する気密ゴム３３が装着されている。
内障子用戸当り竪枠５の基壁３５には、気密ゴム装着溝３６を有する張出片３７が障子方向に突設され、気密ゴム装着溝３６には、室外側面が上枠２、下枠３に装着されている内障子用気密ゴム１６、２６の室外側面と同一平面上に位置する気密ゴム３９が装着されている。
【０００９】
内障子７は、上框４０、下框４１、戸先框４２及び召合せ框４３を枠組してガラス４４を嵌め込んで構成され、外障子８は、上框４５、下框４６、戸先框４７、及び召合せ框４８を枠組してガラス４９を嵌め込んで構成されている。内障子７の戸先框４２には、張出片３７に当接して戸先框４２を室内側へ引寄せる引寄せピース５１が付設され、外障子８の戸先框４７には、外障子用戸当り竪枠４の基壁３０に取着した当接部材５２に当接して戸先框４７を室内側へ引寄せる引寄せピース５３が付設されている。外障子８の召合せ框４８には、障子閉鎖引寄せ状態で、内障子７の召合せ框４３や内障子用気密ゴム１６、２６や外障子用気密ゴム１７、２７に圧着されて両者間を気密に閉鎖する召合せ気密ゴム５５が装着されている。
外障子８の上框４５、下框４６には、図３の（A）、（B）に示すように、室外側板に障子閉鎖引寄せ状態で先端部が上枠２、下枠３の案内レール１３、２３に夫々接触して外障子の上框４５、下框４６と窓枠６の上枠２、下枠３との間を塞ぐ断面ひげ状の補助ゴム片５８、５９が夫々全長に亘って配設されている。補助ゴム片５８、５９の先端部が案内レール１３、２３に夫々弾力的に接触することで、上框４５、下框４６と上枠２、下枠３の間には、室内側板と補助ゴム片５８、５９の間に大きな閉鎖空間６０、６１が形成されるようになっている。また、外障子８の戸先框４７には、図３の（C）に示すように、室外側板に障子閉鎖引寄せ状態で先端部が外障子用戸当り竪枠４の基壁３０に接触して外障子の戸先框４７と窓枠６の外障子用戸当り竪枠４との間を塞ぐ補助ゴム片６３が全長に亘って配設されている。補助ゴム片６３が外障子用戸当り竪枠４の基壁３０に接触することで、戸先框４７と外障子用戸当り竪枠４の間には、室内側板と補助ゴム片６３との間に大きな閉鎖空間６４が形成されるようになっている。内障子７の召合せ框４３または外障子８の召合せ框４８には、内、外障子７、８を閉鎖方向へ引き分けた後室内側へ引寄せて召合せ框４３、４８どうしを互いに引寄せると共に室内側へ引寄せる公知の引寄せ装置（図示省略）が装着されている。
【００１０】
上記構成の引違い防音サッシ１では、内、外障子７、８を横引きして閉鎖し、内、外障子７、８の召合せ框４３、４８に設けた図示しない引寄せ装置で内、外障子７、８を閉鎖方向へ引き分けた後、召合せ框４３、４８を互いに引寄せると共に室内側へ引寄せて施錠する。このように、内、外障子７、８を引き分けて閉鎖すると共に室内側への引寄せ状態にすると、内障子７の戸先框４２は、引寄せピース５１が張出片３７に当接して室内側へ引寄せられ、召合せ框４３も室内側へ引寄せられるので、内障子７の上框４０、下框４１、戸先框４２の室外側板の室内側面が窓枠６の気密ゴム３９に強く圧着され、内障子７と窓枠６との間が気密及び水密に閉塞される。同じく、外障子８の戸先框４７は、引寄せピース５３が当接部材５２に当接して室内側へ引寄せられ、召合せ框４８も室内側へ引寄せられるので、外障子８の上框４５、下框４６、戸先框４７の室内側板の室内側面が窓枠６の気密ゴム３３に強く圧着され、内障子７と窓枠６との間が気密及び水密に閉塞される。
【００１１】
また、内、外障子７、８を引き分けて閉鎖すると共に室内側への引寄せ状態にすると、外障子８の上框４５、下框４６の室外側板に装着した断面ひげ状の補助ゴム片５８、５９の先端部が、図３の（A）、（B）に示すように、上枠２、下枠３の案内レール１３、２３の室外側に夫々弾力的に接触して上框４５、下框４６と上枠２、下枠３との間を閉鎖する。補助ゴム片５８、５９の先端部が案内レール１３、２３に夫々弾力的に接触することで、上框４５、下框４６と上枠２、下枠３の間には室内側板と補助ゴム片５８、５９との間に大きな閉鎖空間６０、６１が形成された状態になる。同じく、外障子８の戸先框４７の室外側板に装着した断面ひげ状の補助ゴム片６３の先端部が、図３の（C）に示すように、外障子用戸当り竪枠４の基壁３０に弾力的に接触して外障子の戸先框４７と外障子用戸当り竪枠４との間を閉鎖する。補助ゴム片６３の先端部が外障子用戸当り竪枠４の基壁３０に接触することで、戸先框４７と外障子用戸当り竪枠４の間には室内側板と補助ゴム片６３との間に大きな閉鎖空間６４が形成された状態になる。
内、外障子７、８を開閉移動する時には、内障子７の上框４０、下框４１、戸先框４２の室外側板の室内側面が窓枠６の気密ゴム３９から離間したり、外障子８の上框４５、下框４６、戸先框４７の室内側板の室内側面が窓枠６の気密ゴム３３から離間すると共に、外障子８の上框４５、下框４６に装着した補助ゴム片５８、５９の先端部が上枠２、下枠３の案内レール１３、２３から離間したり軽く接触するようになるので、通常の引違いサッシと同様に内、外障子７，８を軽く開閉させることができる。
【００１２】
上記構造による引違い防音サッシでは、内、外障子７、８を閉鎖して室内側へ引寄せ状態にした状態で、外障子８の上框４５、下框４６、戸先框４７の室外側板に設けた断面ひげ状の補助ゴム片５８、５９、６３の先端部が上枠２、下枠３、戸当り竪枠４に接触し、外障子８の上框４５、下框４６、戸先框４７の室内側板と補助ゴム片５８、５９、６３との間に大きな閉鎖空間６０、６１、６４を設けているので、外部の音が外障子８の上框４５、下框４６、戸先框４７の空洞部分に入って空洞部分で反響するのを防止できる。また、仮に、外部の音が僅かな隙間から外障子８の上框４５、下框４６、戸先框４７の空洞部分に侵入しても、その音を閉鎖空間６０、６１、６４によって減音できる。その結果、防音サッシの防音性能を大きく向上させることができる。しかも、その為の構成は、外障子８の上框４５、下框４６、戸先框４７の室外側板に補助ゴム片５８、５９、６３を配設する簡易な構成で良く、安価に防音性能を向上できて実用的である。
また、外障子８の上框４５と下框４６に断面ひげ状の補助ゴム片５８、５９を外障子８の閉鎖引寄せ状態で先端部が上枠２と下枠３に備えた案内レール１３、２３の室外側に弾力的に接触するように配設しているので、外障子８が下がったり下枠３に塵埃が溜まったりした場合でも、外障子８の補助ゴム片５８、５９を案内レール１３、２３に全長に亘って確実に接触させることができ、長期に亘って高い防音性能を向上できる。
【００１３】
また、内、外障子７、８を閉鎖して室内側へ引寄せ状態にした状態で、中心周波数（Ｈｚ）と音響透過損失（ｄＢ）の関係をサッシ性能試験室において測定してみると、図４に示すグラフのような結果を得ることができた。このグラフによれば、本発明実施装置では、補助ゴム片５８、５９、６３を備えない従来装置に比べて、８００Ｈｚ以上や２００Ｈｚ付近で音響透過損失が約２〜３ｄＢ大きくなり、引違い防音サッシの防音性能が相当良くなっていることがわかる。
このグラフに示す防音性能の効果は、上框４５、下框４６の補助ゴム片５８、５９や戸先框４７の補助ゴム片６３によって上框４５、下框４６、戸先框４７と窓枠６との間を完璧に塞ぐことなく少々の隙間があっても、同様な効果を得ることができる認められた。また、外障子８の上框４５、下框４６、戸先框４７の３方に補助ゴム片５８、５９、６３を装着し、召合せ框４８と窓枠６との間に少々の隙間があっても図４に示す結果を認めることができた。
なお、本発明は、障子の上框、下框、戸先框の室内側板の室内側面を障子を室内側に引寄せて窓枠の上枠、下枠、戸当り竪枠に装着した気密ゴムに圧着させるようにした片引き防音サッシにも同様に実施できる。また、障子に装着する断面ひげ状の補助ゴム片は、各框の室外側板とは異なる箇所に装着し、各框に室内側板と補助ゴム片の間に大きな閉鎖空間を設けて框内の空洞部分で外部音が反響しないようにしても良い。
【図面の簡単な説明】
【００１４】
【図１】本発明の実施態様を示す引違い防音サッシの縦断面図である。
【図２】図１の横断面図である。
【図３】図１、図２のA、B、C部分を拡大して示す部分図である。
【図４】本発明の引違い防音サッシの中心周波数と音響透過損失の関係を示すグラフである。
【符号の説明】
【００１５】
１  引違い防音サッシ、  ２  上枠、  ３  下枠、  ４  外障子用戸当り竪枠、  ６  窓枠、  ７内障子、  ８  外障子、  ２６  気密ゴム、  ２７  気密ゴム、  ４０  上框、  ４１  下框、  ４２  戸先框、  ４３  召合せ框、  ４５  上框、  ４６  下框、  ４７  戸先框、  ４８  召合せ框、  ３３  気密ゴム、  ３９  気密ゴム、  ５８、５９、６３  補助ゴム片、  ６０、６１、６４  閉鎖空間
【図１】
2008240475.tif 000003
【図２】
2008240475.tif 000004
【図３】
2008240475.tif 000005
【図４】
2008240475.tif 000006